(57)【要約】【課題】部品点数を少なくするとともに、ザルとしての機能を有することができる中蓋及び電子レンジ用調理器を提供する。【解決手段】一端が開口し他端が閉塞する筒状の容器本体２０と、容器本体２０の開口部分を覆い可能な外蓋４０と、を備える電子レンジ用調理器具１０に使用され、一端が開口し他端が閉塞する筒状の中蓋６０であって、開口する上部を形成する上部形成部６１と、閉塞する下部を形成する下部形成部６７と、上部形成部６１と下部形成部６７との間に配され折れ曲がり可能な屈曲部６６と、を有する。上部形成部６１には、容器本体２０の開口部分に配される係止部２２と係止可能な被係止部６３が配され、下部形成部６７には、流体が流通可能であるとともに、米粒が流通不能な流通孔７０が配され、屈曲部６６が、折れ曲がった屈曲状態と、伸び広がった伸長状態と、に変形可能とされている。【選択図】図１
0003224380.tif 000002
【実用新案登録請求の範囲】
【請求項１】
一端が開口し他端が閉塞する筒状の容器本体と、前記容器本体の開口部分を覆い可能な外蓋と、を備える電子レンジ用調理器具に使用され、一端が開口し他端が閉塞する筒状の中蓋であって、
開口する上部を形成する上部形成部と、閉塞する下部を形成する下部形成部と、前記上部形成部と前記下部形成部との間に配され折れ曲がり可能な屈曲部と、を有し、
前記上部形成部には、前記容器本体の開口部分に配される係止部と係止可能な被係止部が配され、
前記下部形成部には、流体が流通可能であるとともに、米粒が流通不能な流通孔が配され、
前記屈曲部が、折れ曲がった屈曲状態と、伸び広がった伸長状態と、に変形可能とされていることを特徴とする中蓋。
【請求項２】
前記下部形成部は、底壁部と、前記底壁部の外周縁部から延設された周壁部と、で構成され、
前記底壁部の下面には、水滴を前記容器本体内に落下可能とする第一凸部が配されていることを特徴とする請求項１記載の中蓋。
【請求項３】
前記底壁部の下面には、円環状、又は／及び、円弧状に形成され、水滴を前記容器本体内に落下可能とする第二凸部が配されていることを特徴とする請求項２記載の中蓋。
【請求項４】
前記流通孔が、前記底壁部に配される第一流通孔と、前記底壁部と前記周壁部とに跨って配される第二流通孔と、で構成されていることを特徴とする請求項２又は３に記載の中蓋。
【請求項５】
一端が開口し他端が閉塞する筒状の容器本体と、前記容器本体の開口部分を覆い可能な外蓋と、請求項１〜４のいずれか一項に記載の中蓋を備え、
前記容器本体の開口部分には、前記被係止部と係止可能な係止部が配されていることを特徴とする電子レンジ用調理器具。
【考案の詳細な説明】
【技術分野】
【０００１】
本考案は、電子レンジの加熱調理の際に用いられる電子レンジ用調理器具及びその中蓋に関するものである。
【背景技術】
【０００２】
従来の電子レンジ用調理器としては、特許文献１に記載されるものがあり、これによれば、水を収容する上部開口状の外容器と、米及び水を収容する内容器と、前記内容器の開口部を被う内蓋と、前記内蓋を含んで外容器の開口部を被う外蓋とから構成されていた。
【先行技術文献】
【特許文献】
【０００３】
【特許文献１】実用新案登録第３２１４３５１号公報
【考案の概要】
【考案が解決しようとする課題】
【０００４】
しかし上記の電子レンジ用調理器では、外容器、内容器、内蓋、外蓋の四点の部品からなり、部品点数が多いとともに、内容器はザルとしての機能を有さないという問題があった。
【０００５】
本考案は、上記事情に鑑み、部品点数を少なくするとともに、ザルとしての機能を有することができる中蓋及び電子レンジ用調理器を提供することを目的とする。
【課題を解決するための手段】
【０００６】
請求項１記載の考案では、一端が開口し他端が閉塞する筒状の容器本体と、前記容器本体の開口部分を覆い可能な外蓋と、を備える電子レンジ用調理器具に使用され、一端が開口し他端が閉塞する筒状の中蓋であって、
開口する上部を形成する上部形成部と、閉塞する下部を形成する下部形成部と、前記上部形成部と前記下部形成部との間に配され折れ曲がり可能な屈曲部と、を有し、
前記上部形成部には、前記容器本体の開口部分に配される係止部と係止可能な被係止部が配され、
前記下部形成部には、流体が流通可能であるとともに、米粒が流通不能な流通孔が配され、
前記屈曲部が、折れ曲がった屈曲状態と、伸び広がった伸長状態と、に変形可能とされている。
【０００７】
これによれば、部品点数を少なくするとともに、ザルとしての機能を有することができる。さらに、例えば、屈曲状態で吹きこぼれ防止機能を有した中蓋、伸長状態でザル、といった使い方が可能となる。
【０００８】
また、前記下部形成部は、底壁部と、前記底壁部の外周縁部から延設された周壁部と、で構成され、
前記底壁部の下面には、水滴を前記容器本体内に落下可能とする第一凸部が配されている。
【０００９】
これによれば、底壁部下面に加熱調理で水蒸気から生じる水滴を、第一凸部により容器本体内に落下させて、加熱調理に再利用することができる。
【００１０】
また、前記底壁部の下面には、円環状、又は／及び、円弧状に形成され、水滴を前記容器本体内に落下可能とする第二凸部が配されている。
【００１１】
これによれば、第一凸部で捉えきれない水滴を第二凸部で捉えることが可能となる。
【００１２】
また、前記流通孔が、前記底壁部に配される第一流通孔と、前記底壁部と前記周壁部とに跨って配される第二流通孔と、で構成されている。
【００１３】
これによれば、底壁部上に溜まる水分を第一流通孔で、周壁部から滴り落ちる水分を第二流通孔で、中蓋から落下させることが可能となる。
【００１４】
また、一端が開口し他端が閉塞する筒状の容器本体と、前記容器本体の開口部分を覆い可能な外蓋と、請求項１〜４のいずれか一項に記載の中蓋を備え、
前記容器本体の開口部分には、前記被係止部と係止可能な係止部が配されている。
【００１５】
これによれば、上記の効果を奏する電子レンジ用調理器具とすることができる。
【図面の簡単な説明】
【００１６】
【図１】本考案の一実施形態の電子レンジ用調理器具の容器本体及び中蓋が伸長状態の分解斜視図である。
【図２】同実施形態の容器本体及び中蓋が伸長状態の斜視図である。
【図３】図１のＩＩＩ−ＩＩＩ線矢視断面図である。
【図４】図１のＩＶ−ＩＶ線矢視断面図である。
【図５】外蓋の下側からみた斜視図である。
【図６】図１の中蓋のＶＩ−ＶＩ線矢視断面図である。
【図７】中蓋の下側からみた斜視図である。
【図８】屈曲状態の中蓋の説明図である。
【図９】図８のＩＸ−ＩＸ線矢視断面図である。
【図１０】図２のＸ−Ｘ線矢視断面図である。
【図１１】中蓋を屈曲状態にして調理するときの説明断面図である。
【図１２】容器本体及び中蓋を屈曲状態にしたときの説明図である。
【図１３】図１２のＸＩＩＩ−ＸＩＩＩ線矢視断面図である。
【考案を実施するための形態】
【００１７】
本考案の電子レンジ用調理器具の一実施形態について図面に基づいて説明する。
【００１８】
電子レンジ用調理器具１０は、図１、２等に示すように、容器本体２０と、容器本体２０の開口部分を覆い可能な外蓋４０と、中蓋６０と、を備えている。
【００１９】
容器本体２０は、図１〜３等に示すように、上端が開口し、下端が閉塞する、下側が若干小径となる略筒状に形成され、開口する上部を形成する開口部形成部２１と、閉塞する下部を形成する底部形成部２５と、開口部形成部２１と底部形成部２５との間に配され折れ曲がり可能な屈曲部２４と、を有している。
【００２０】
開口部形成部２１は、ＰＰ（ポリプロピレン）製で、外形形状が下側に向かうにしたがって若干小径となる略筒状に形成されている。
【００２１】
開口部形成部２１の内周側は、上面２１ｄ側の大内径部２１ａと、大内径部２１ａより小径に形成された小内径部２１ｂと、大内径部２１ａと小内径部２１ｂとに連設される段差面２１ｃと、を有している。本実施形態では、後述する中蓋６０の被係止部６３と当接可能な、大内径部２１ａと、段差面２１ｃと、で中蓋６０を係止する係止部２２が構成される。
【００２２】
換言すれば、容器本体２０の開口部分には、後述する被係止部６３と係止可能な係止部２２が配されているといえる。また、大内径部２１ａと上面２１ｄが、後述する外蓋４０の下端部、進入壁部４４の周壁部分と係止可能とされている。
【００２３】
開口部形成部２１の上端部には、一対の下把持部形成部２３が配設されている。各下把持部形成部２３は、半筒状に形成され、後述する上把持部形成部４３と対向する面が段状に形成された段状部２３ａが配設されている。
【００２４】
段状部２３ａは、下把持部形成部２３の後述する上把持部形成部４３と対向する面が、内周側が板状に上方に突出するとともに、上把持部形成部４３に対応した形状とされ、外蓋４０が容器本体２０の開口部分を覆ったときの上把持部形成部４３の回転を規制可能とされている。
【００２５】
屈曲部２４は、ＴＰＥ（熱可塑性エラストマー）製で、下側が若干小径となる略筒状に形成され、開口部形成部２１、底部形成部２５より軟質で、上下方向における長さが短くなるように折れ曲がり可能に形成されている。
【００２６】
底部形成部２５は、ＰＰ（ポリプロピレン）製で、底壁部２６と、底壁部２６の外周縁部から上方に延設された周壁部２７と、で構成され、下側が若干小径となる略筒状に形成されている。
【００２７】
容器本体２０は、開口部形成部２１の下端部と屈曲部２４の上端部、底部形成部２５の上端部と屈曲部２４の下端部が連結され、手で上下方向に押し引きすることで、上下方向における長さが変わり、図１２、１３に示す折れ曲がった屈曲状態と、図１〜３等に示す伸びた伸長状態とに変形可能とされている。
【００２８】
外蓋４０は、ＰＰ（ポリプロピレン）製で、図１、２、４、５等に示すように、上壁部４１と、上壁部４１の外周縁部から下方に延設された周壁部４２と、で構成され、上側が若干小径となる略筒状に形成されている。
【００２９】
周壁部４２の下端部には、半筒状に形成され、下端部において、下把持部形成部２３の段状部２３ａと係合可能に形成された一対の上把持部形成部４３が配設されている。各上把持部形成部４３は、下把持部形成部２３より肉薄に形成されて、下把持部形成部２３の段状部２３ａと係合して、外蓋４０が容器本体２０の開口部分を覆ったときの回転移動が規制される。
【００３０】
周壁部４２の外周縁部の下端部には、円筒状の進入壁部４４が配設され、進入壁部４４の周壁部分が容器本体２０の開口部形成部２１の大内径部２１ａと、周壁部の下面４２ａが上面２１ｄと、係合可能とされている。
【００３１】
進入壁部４４を開口部形成部２１に進入させて嵌め込み、下把持部形成部２３と上把持部形成部４３とを、上下方向において重ね合わせて係合することで、図２、１２に示すように、把持部１１が構成される。
【００３２】
上壁部４１には、上側から下側に皿状に窪んだ凹部４１ａが形成されている。凹部４１ａには、内面から外面まで円形状に貫通する貫通孔として形成された凹部通気孔４１ｂが二か所配設されている。
【００３３】
上壁部４１の下面には、水滴を中蓋６０内に落下可能とする蓋凸部４１ｃが配設されている。蓋凸部４１ｃは、上壁部４１の下面から下側に半球状に突出するように形成されている。蓋凸部４１ｃは、同心円上に内外四重に配されている。
【００３４】
中蓋６０は、図１、２、６〜９等に示すように、上端が開口し、下端が閉塞する、下側が若干小径となる略筒状に形成され、開口する上部を形成する上部形成部６１と、閉塞する下部を形成する下部形成部６７と、上部形成部６１と下部形成部６７との間に配され折れ曲がり可能な屈曲部６６と、を有している。
【００３５】
上部形成部６１は、ＰＰ（ポリプロピレン）製で、略円筒状に形成され、周壁部６２と、周壁部６２の上端部から径方向外側に円環状に突出する被係止部６３が配設されている。被係止部６３には、略台形板状に上側に突出する掴み片６４が二つ配設されている。
【００３６】
上部形成部６１は、容器本体２０の開口部形成部２１の内側に進入可能とされている。
【００３７】
換言すれば、中蓋６０の上部形成部６１は、容器本体２０の開口部形成部２１の大内径部２１ａ、段差面２１ｃと、接して係止可能な形状とされている。つまり、中蓋６０の開口部分外側には、係止部２２と係止可能な被係止部６３が配されているといえる。
【００３８】
屈曲部６６は、ＴＰＥ（熱可塑性エラストマー）製で、下側が若干小径となる略筒状に形成され、屈曲部２４と同様に、上部形成部６１、下部形成部６７より軟質で、上下方向における長さが短くなるように折れ曲がり可能に形成されている。
【００３９】
下部形成部６７は、ＰＰ（ポリプロピレン）製で、底壁部６８と、底壁部６８の外周縁部から延設された周壁部６９と、で構成され、下側が若干小径となる略筒状に形成されている。
【００４０】
下部形成部６７には、流体が流通可能であるとともに、米粒が流通不能な流通孔７０が配設されている。
【００４１】
流通孔７０は、底壁部６８に配される第一流通孔７０ａと、底壁部６８と周壁部６９とに跨って配される第二流通孔７０ｂと、で構成されている。
【００４２】
第一流通孔７０ａは、底壁部６８の内面から外面まで円形状に貫通する貫通孔として形成されている。第二流通孔７０ｂは、下部形成部６７の内面から外面まで長円形状に貫通する貫通孔として形成され、底壁部６８と周壁部６９との境界部分を含んで、底壁部６８と周壁部６９とに跨って配されている。
【００４３】
底壁部６８の下面には、水滴を容器本体２０内に落下可能とする第一凸部７１が配設されている。第一凸部７１は、底壁部６８の下面から下側に半球状に突出するように形成されている。第一凸部７１は、底壁部６８の中心、及び、底壁部６８の同心円上に内外二重に配されている。
【００４４】
底壁部６８の下面には、水滴を容器本体２０内に落下可能とする第二凸部７２が配設されている。第二凸部７２は、断面視において半円形状で、平面視において円環状に形成されている。
【００４５】
第二凸部７２は、同心円上に内外二重に配され、内側の第二凸部７２は、底壁部６８の中心、及び、内側の第一凸部７１の外側、かつ、外側の第一凸部７１の内側に配され、外側の第二凸部７２は、外側の第一凸部７１の外側に配されている。
【００４６】
底壁部６８の下面には、円柱状の脚部７３が三か所配設されている。
【００４７】
中蓋６０は、上部形成部６１の下端部と屈曲部６６の上端部、下部形成部６７の上端部と屈曲部６６の下端部が連結され、手で上下方向に押し引きすることで、上下方向における長さが変わり、図８、９に示す折れ曲がった屈曲状態と、図６、７に示す伸びた伸長状態とに変形可能とされている。
【００４８】
中蓋６０は、屈曲状態で吹きこぼれ防止機能を有した中蓋、伸長状態でザル、といった使い方が可能とされている。
【００４９】
電子レンジ用調理器具１０は、使用しない時には、図１２、１３に示すように、容器本体２０、中蓋６０をそれぞれ屈曲状態とし、中蓋６０の被係止部６３を容器本体２０の係止部２２と係止させて収納し、電子レンジ用調理器具１０上下方向のサイズを縮小して収納、運搬することができる。
【００５０】
電子レンジ用調理器具１０の実施態様を説明する。ご飯を３合炊く場合を例にして説明する。予め米３合（４５０ｇ）、水５００ｃｃを用意しておく。
【００５１】
まず、図１等に示すように、容器本体２０を伸長状態とするとともに、中蓋６０を伸長状態としておく。米を容器本体２０に入れて洗米し、３０分から１時間程度浸水させる。中蓋６０に洗った米を入れて水を切る。
【００５２】
このとき、中蓋６０はザルとして機能し、底壁部６８に配される第一流通孔７０ａと、底壁部６８と周壁部６９とに跨って配される第二流通孔７０ｂとで、底壁部６８上に溜まる水分を第一流通孔７０ａで、周壁部６９から滴り落ちる水分を第二流通孔７０ｂで、中蓋６０から落下させる。
【００５３】
水切りしたら容器本体２０に、米を再度入れ、さらに水を入れる。そして、図８、９、１１に示すように、中蓋６０を屈曲状態とし、被係止部６３を容器本体２０の係止部２２と係止させ、吹きこぼれ防止用の中蓋６０として機能させる。
【００５４】
容器本体２０と外蓋４０とを係合させ電子レンジ用調理器具１０とし、電子レンジ内に入れて所定時間加熱する（例えば、６００Ｗで１２分）。
【００５５】
このとき、第一流通孔７０ａ及び第二流通孔７０ｂで加熱調理により発生する水蒸気を外蓋４０側に流通させるとともに、加熱調理で発生する水蒸気から生じる水滴を、第一凸部７１により、水滴を容器本体２０内に落下させる。また、第二凸部７２により、第一凸部７１で捉えきれなかった水滴を容器本体２０内に落下させる。
【００５６】
電子レンジ内で所定時間（例えば、１０分）蒸らして、炊きあがった米をさっくり混ぜて炊飯が完了する。
【００５７】
上記構成の中蓋６０では、一端が開口し他端が閉塞する筒状の容器本体２０と、容器本体２０の開口部分を覆い可能な外蓋４０と、を備える電子レンジ用調理器具１０に使用され、一端が開口し他端が閉塞する筒状の中蓋であって、
開口する上部を形成する上部形成部６１と、閉塞する下部を形成する下部形成部６７と、上部形成部６１と下部形成部６７との間に配され折れ曲がり可能な屈曲部６６と、を有し、
上部形成部６１には、容器本体２０の開口部分に配される係止部２２と係止可能な被係止部６３が配され、
下部形成部６７には、流体が流通可能であるとともに、米粒が流通不能な流通孔７０が配され、
屈曲部６６が、折れ曲がった屈曲状態と、伸び広がった伸長状態と、に変形可能とされている。
【００５８】
これによれば、部品点数を少なくするとともに、ザルとしての機能を有することができる。さらに、屈曲状態で吹きこぼれ防止機能を有した中蓋、伸長状態でザル、といった使い方が可能となる。
【００５９】
また、下部形成部６７は、底壁部６８と、底壁部６８の外周縁部から延設された周壁部６９と、で構成され、
底壁部６８の下面には、水滴を容器本体２０内に落下可能とする第一凸部７１が配されている。
【００６０】
これによれば、底壁部６８下面に蒸し調理で水蒸気から生じる水滴を、第一凸部７１により容器本体２０内に落下させて、再利用することができる。
【００６１】
また、底壁部６８の下面には、円環状に形成され、水滴を容器本体２０内に落下可能とする第二凸部７２が配されている。
【００６２】
これによれば、第一凸部７１で捉えきれない水滴を第二凸部７２で捉えることが可能となる。
【００６３】
また、流通孔７０が、底壁部６８に配される第一流通孔７０ａと、底壁部６８と周壁部６９とに跨って配される第二流通孔７０ｂと、で構成されている。
【００６４】
これによれば、底壁部６８上に溜まる水分を第一流通孔７０ａで、周壁部６９から滴り落ちる水分を第二流通孔７０ｂで、中蓋６０から落下させることが可能となる。
【００６５】
また、一端が開口し他端が閉塞する筒状の容器本体２０と、容器本体２０の開口部分を覆い可能な外蓋４０と、中蓋６０を備え、
容器本体２０の開口部分には、被係止部６３と係止可能な係止部２２が配されている。
【００６６】
これによれば、上記の効果を奏する電子レンジ用調理器具とすることができる。
【００６７】
本考案の中蓋及び電子レンジ用調理器具は上記構成に限定されるものではない。即ち、本考案の要旨を逸脱しない限り各種の設計変更等が可能である。以下に、変形した態様を例示する。
【００６８】
例えば、使用態様として、ご飯を炊く場合を例示したが、硬さ、加熱時間の異なる野菜、肉、魚等を蒸す調理に適用することができる。その場合、図１０に示す状態において、容器本体２０内で火の通りにくい食材を、中蓋６０上で火の通りやすい食材を、入れて時間差を設けて加熱することが例示できる。
【００６９】
また、中蓋６０は、折れ曲がった屈曲状態、伸び広がった伸長状態、のいずれであっても調理することが可能である。
【００７０】
また、第一凸部７１で捉えきれない水滴を捉えることが可能であれば、第二凸部７２は、断面視において半円形状で、底面視において円弧状に形成する、又は、円環状及び円弧状に形成したものを組み合わせて形成することも可能である。
【００７１】
また、電子レンジ用調理器具１０を構成する、容器本体２０、外蓋４０、中蓋６０の素材は、ＰＰ（ポリプロピレン）、ＴＰＥ（熱可塑性エラストマー）等を適用したが、折れ曲がった屈曲状態と、伸びた伸長状態とに変形可能であれば、他の素材を適用することができる。
【符号の説明】
【００７２】
１０  電子レンジ用調理器具
２０  容器本体
２２  係止部
４０  外蓋
６０  中蓋
６１  上部形成部
６３  被係止部
６６  屈曲部
６７  下部形成部
６８  底壁部
６９  周壁部
７０  流通孔
７０ａ  第一流通孔
７０ｂ  第二流通孔
７１  第一凸部
７２  第二凸部
【図１】
0003224380.tif 000003
【図２】
0003224380.tif 000004
【図３】
0003224380.tif 000005
【図４】
0003224380.tif 000006
【図５】
0003224380.tif 000007
【図６】
0003224380.tif 000008
【図７】
0003224380.tif 000009
【図８】
0003224380.tif 000010
【図９】
0003224380.tif 000011
【図１０】
0003224380.tif 000012
【図１１】
0003224380.tif 000013
【図１２】
0003224380.tif 000014
【図１３】
0003224380.tif 000015